(57)【特許請求の範囲】
【請求項１】
流入水路と、
前記流入水路から排出された水が流れ込む吸込水槽であって、前記流入水路の出口と接続され、前記流入水路より幅広である、吸込水槽と、
前記吸込水槽からの水が流れ込むポンプ吸込水路と、
前記ポンプ吸込水路に配置されて複数の水路を形成する隔壁と、
前記複数の水路のそれぞれに配置され、各水路内の水を排水するポンプと、
前記吸込水槽の端部をなし、前記流入水路の出口における水の流線方向と交差する方向に延びる止水壁と、を備え、
前記ポンプ吸込水路の入口と、前記流入水路の出口とが、前記止水壁に対して同じ側に設けられ、
前記隔壁は、前記止水壁とは離れており、
前記止水壁で反射された水が前記ポンプ吸込水路の入口に流れ込み、
前記流入水路の出口における水の流出方向と、前記ポンプ吸込水路の入口における水の流入方向は互いに異なる、
排水機場。
【請求項２】
前記流入水路の出口と対向するように、前記吸込水槽内に設けられた、支柱を備えている、
請求項１に記載の排水機場。
【請求項３】
前記止水壁が、前記流入水路の出口と対向して前記流入水路に向かって突出する凸部と、前記凸部の両側に形成された凹部とを備え、
前記凸部と前記凹部とが、曲面で接続されている、
請求項１に記載の排水機場。
【請求項４】
水の流れる向きを変更する整流壁を備え、
前記整流壁は、前記吸込水槽の内部において前記流入水路の出口と対向しない位置に設けられている、請求項１ないし３のいずれかに記載の排水機場。
【請求項５】
ポンプ吸込水路に配置された隔壁によって形成された複数の水路のそれぞれに配置され、各水路内の水を排水する複数のポンプが設けられた排水機場における排水方法であって、
流入水路からの水の流れの方向を、吸込水槽の端部をなし、前記流入水路の出口における水の流線方向と交差する方向に延びており、前記隔壁とは離れている止水壁に反射させることによって変え、前記複数のポンプそれぞれの吐出量に応じた量の水を前記水路に導く、排水方法。
【発明の詳細な説明】
【技術分野】
【０００１】
本発明は、河川または地下放水路等からの流入水を複数のポンプで排水する排水機場に関し、特に、例えば都市部に設置するのに好適なコンパクトな排水機場に関する。また、本発明は、当該排水機場の排水方法に関する。
【背景技術】
【０００２】
河川や下水などを排水する排水機場におけるポンプは、その重要性や予備機を設けない設計思想などから、確実な始動および運転が求められる。したがって、全てのポンプが同様の条件で安定した運転ができるよう、ポンプに流れ込む水流を安定化させる必要がある。
【０００３】
そのために、長い吸込水槽を構築することで沈砂と流入水の安定、すなわち偏流や渦の防止を図ることが行われてきた（例えば、特許文献１）。しかしながら、流入水を安定させるためには吸込水槽を相応の長さにする必要があり、スペース的にも費用的にも問題がある。しかも、近年の排水設備では、地域の都市化やゲリラ豪雨などの影響で流入量が計画時より多くなる可能性や、長距離にわたって地下に幹線を敷設する際の費用削減のために幹線の水路幅が小型化されて、排水機場流入部での流速が速くなることなどから、さらに長い吸込水槽（安定区間）が必要となってきており、上記の問題はますます大きくなっている。
【０００４】
従来、吸込水槽内に可動仕切壁を設けること（特許文献２）や、吸込水槽内に隔壁を設けること（特許文献３）が開示されているが、流入水路の流速が速い場合、吸込水槽内の流れはそのまま直進する傾向にあり（図８）、流入水の安定を図ることができない。なお、図８では、矢印の長さが流速の大きさを表している。
【０００５】
特許文献４〜６には、底部に吸込水槽を、中央部に吐出水路を設け、複数の立軸ポンプを吐出水路の外周部に周方向に配置した構成のポンプ場が開示されている。また、特許文献７には、水流に対して直交する堰を流路に設けた構成のポンプ吸込水槽が開示されている。これらの構成によれば、吸込水槽を短くすることが見込まれる。
【先行技術文献】
【特許文献】
【０００６】
【特許文献１】特開平１０−７３０９０号公報
【特許文献２】特開平９−５３６００号公報
【特許文献３】実開平６−６７８９８号公報
【特許文献４】特開平５−１８０１８７号公報
【特許文献５】実開平５−８９５２０号公報
【特許文献６】特許第２５０６２３３号公報
【特許文献７】実開昭６１−１８７９９８号公報
【発明の概要】
【発明が解決しようとする課題】
【０００７】
しかしながら、特許文献４〜６の構成では、吸込水槽が閉鎖空間となるため、ポンプトリップ時に生じるアップサージやＵ字管現象により上流側に水が逆流することがあり、マンホールが吹き飛んだりするおそれがある。また、特許文献７の構成では、堰を設けるため流入側の運用水位が高くなり、治水の信頼性を悪化させる。すなわち流入水の流量変動に対してポンプ側の水位変化が極めて敏感であり、始動の遅れや、流入量と吐出量のアンバランスにより上流側河川が溢れる虞がある。このため吸込水槽に十分なバッファを設ける必要があり、排水機場のスペースが広大となる。
【０００８】
本発明はこのような問題点に鑑みてなされたものであり、本発明の課題は、広大な設置面積を不要とし、かつ流入水を偏流なく各ポンプへ導き、全てのポンプの能力を最大限に発揮することのできる排水機場および排水方法を提供することである。
【課題を解決するための手段】
【０００９】
本発明の一態様によれば、流入水路と、前記流入水路から排出された水が流れ込む吸込水槽であって、前記流入水路の出口と接続され、前記流入水路より幅広である、吸込水槽と、前記吸込水槽からの水が流れ込むポンプ吸込水路と、前記ポンプ吸込水路に配置されて複数の水路を形成する隔壁と、前記複数の水路のそれぞれに配置され、各水路内の水を排水するポンプと、前記吸込水槽の端部をなし、前記流入水路の出口における水の流線方向と交差する方向に延びる止水壁と、を備え、前記ポンプ吸込水路の入口と、前記流入水路の出口とが、前記止水壁に対して同じ側に設けられている、排水機場が提供される。
この構成によれば、止水壁を設けることで水を減勢および整流できると共に、止水壁により反射された水が各ポンプに偏流なく導かれるため、全てのポンプの能力を最大限に発揮できる。また、吸込水槽を短くすることができ、コンパクト化が可能である。
【００１０】
前記流入水路の出口と対向するように、前記吸込水槽内に設けられた、支柱を備えているのが望ましい。
この構成によれば、流入する流れの損失を低減させることができる。
【００１１】
前記壁が、前記流入水路の出口と対向して前記流入水路に向かって突出する凸部と、前記凸部の両側に形成された凹部とを備え、前記凸部と前記凹部とが、曲面で接続されているのが望ましい。
この構成によれば、流入する流れの損失をさらに低減させることができる。
【００１２】
水の流れる向きを変更する整流壁を備え、前記整流壁は、前記吸込水槽の内部において前記流入水路の出口と対向しない位置に設けられているのが望ましい。
この構成によれば、整流壁により、偏流を効果的に低減できる。
【００１３】
排水機場は、前記吸込水槽に接続された残水排水槽と、前記残水排水槽内に配置された残水排水ポンプと、を備えるのが望ましい。
これにより、吸込水槽内の残水を排水できる。
【００１４】
前記吸込水槽の底は、前記残水排水槽に向かって低くなるよう傾斜しているのが望ましい。
また、前記残水排水槽の底は、吸込水槽の底より低いのが望ましい。
これにより、吸込水槽内の残水や塵芥を残水排水槽に導くことができる。
【００１５】
当該排水機場は地下に設けられるが、前記残水排水槽の上方の少なくとも一部は開口しており、当該排水機場は、前記開口を通って下降可能なバケットを備えるのが望ましい。
これにより、吸込水槽内の塵芥を除去できる。
【００１６】
排水機場は、前記吸込水槽と前記ポンプ吸込水路との間に設けられた第１ゲートと、吐出水槽からの水が流れ込むバイパス水路と、前記ポンプ吸込水路に設けられた連通口と、前記バイパス水路と、の間に設けられた第２ゲートと、を備えるのが望ましい。
これにより、簡易にポンプの管理運転を行うことができる。
【００１７】
また、本発明の別の態様によれば、複数のポンプが設けられた排水機場における排水方法であって、流入水路からの水の流れの方向を、吸込水槽の端部をなし、前記流入水路の出口における水の流線方向と交差する方向に延びる止水壁によって変え、ポンプ吸込水路に設けられた前記複数のポンプそれぞれの吐出量に応じた量の水を導く、排水方法が提供される。
壁によって水の流れの方向を変えるため、吸込水槽を小型化できる。
【発明の効果】
【００１８】
吸込水槽の端部に流入水路の出口と対向するように止水壁を設けることで、水を減勢および整流でき、安全性が向上するとともに、排水機場を小型化できる。
【図面の簡単な説明】
【００１９】
【図１】第１実施形態に係る排水機場１００を上方から見た図。
【図２】図１の排水機場１００のＡ−Ａ断面図。
【図３】第１実施形態の変形例に係る排水機場１００ａを上方から見た図。
【図４】第２実施形態に係る排水機場２００を上方から見た図。
【図５】第３実施形態に係る排水機場３００を上方から見た図。
【図６】第４実施形態に係る排水機場４００を上方から見た図。
【図７】図６の残水排水槽６のＢ−Ｂ断面図。
【図８】従来の吸込水槽における水の流れを模式的に示す図。
【発明を実施するための形態】
【００２０】
以下、本発明に係る実施形態について、図面を参照しながら具体的に説明する。
【００２１】
（第１実施形態）
図１は、第１実施形態に係る排水機場１００を上方から見た図である。図２は、図１の排水機場１００のＡ−Ａ断面図である。この排水機場１００は地上から数十ｍの地下に設けられるものである。
【００２２】
排水機場１００は、流入水路１と、吸込水槽２と、ポンプ吸込水路３と、隔壁３１ａ〜３１ｄと、水路６１〜６４と、ポンプ３２ａ〜３２ｄと、止水壁２１とを備えている。
【００２３】
流入水路１は排水機場１００の上流側に設けられており、その形状は、図示のように矩形でもよいし、円形であってもよく、特に制限はない。流入水路１は、省スペースのため、できるだけ狭い幅で形成されてもよい。
【００２４】
図１、図２の例では流入水路１がポンプ吸込水路３と同じ高さに形成されているが、例えば、流入水路１がポンプ吸込水路３の下方に配置されていてもよい。この場合、上方から見て、流入水路１がポンプ吸込水路３（例えば、第２水路６２および第３水路６３）と重なり合っていてもよい。かかる構成では、例えば、流路の太さを変えることなく、排水機場１００の幅を小さくすることができるため、排水機場１００の更なるコンパクト化が可能となる。
【００２５】
吸込水槽２には、流入水路１から排出された水が流れ込む。吸込水槽２は、流入水路１の出口と接続され、流入水路１より幅広である。ここで幅とは、水平方向の幅であって、流入水路１を流れる水の方向に垂直な幅をいう。吸込水槽２は流入水路１の下流側にあり、流入水路１からの水を吸い込む。吸込水槽２の形状は、図示のように矩形でもよいし、流入水路１との接続箇所から徐々に拡がってもよく、特に制限はない。
【００２６】
ポンプ吸込水路３には、吸込水槽２からの水が流れ込む。ポンプ吸込水路３には、隔壁３１ａ〜３１ｄが配置され、これにより複数の水路６１〜６４が形成されている。水路およびポンプの数は特に限定されない。図１に沿ってより具体的に例示すれば、ポンプ吸込水路３の第１側壁２０ａと第１隔壁３１ａとにより第１水路６１が形成されている。第１隔壁３１ａと第２隔壁３１ｂとにより第２水路６２が形成されている。第３隔壁３１ｃと第４隔壁３１ｄとにより第３水路６３が形成されている。第４隔壁３１ｄとポンプ吸込水路３の第２側壁２０ｂとにより第４水路６４が形成されている。すなわち、隔壁３１ａ〜３１ｄは水路６１〜６４の壁をなす。
【００２７】
図１に例示するように、隔壁３１ａ〜３１ｄの一端は、吸込水槽２に面してもよく、隔壁３１ａ〜３１ｄの他端は、ポンプ吸込水路３の終端に接続されてもよい。
【００２８】
図１の例では、第２隔壁３１ｂと第３隔壁３１ｃとは、流入水路１の一部も形成している。換言すれば、第２隔壁３１ｂと第３隔壁３１ｃとは、流入水路１の壁をなす。
【００２９】
ポンプ３２ａ〜３２ｄは、複数の水路６１〜６４のそれぞれに配置され、各水路６１〜６４内の水を排水する。ポンプ３２ａ〜３２ｄは、ポンプ吸込水路３（各水路６１〜６４）の最下流に設けられてもよい。ポンプ３２ａ〜３２ｄとしては、立軸斜流ポンプを例示しているが、立軸渦巻斜流ポンプ、軸流ポンプ、斜流ポンプ、渦巻斜流ポンプ、水中ポンプなどでもよく、特に制限はない。
【００３０】
ポンプ３２ａ〜３２ｄは、それぞれ大きさが異なっていてもよい。例えば、ポンプ吸込水路３の外側のポンプを大容量（例：非常用ポンプ）とし、内側のポンプを小容量（例：常用ポンプ）とすることができる。図１に示す例では、ポンプ３２ａとポンプ３２ｄとを大容量のポンプとし、ポンプ３２ｂとポンプ３２ｃとを小容量のポンプとしうる。あるいは例えば、ポンプ吸込水路３の外側のポンプを小容量とし、内側のポンプを大容量とすることができる。図１に示す例では、ポンプ３２ａとポンプ３２ｄとを小容量のポンプとし、ポンプ３２ｂとポンプ３２ｃとを大容量のポンプとしうる。止水壁２１の形状等に応じて実際に流れる水の量は変化する。上記構成では、かかる実際の水量に応じて適切なポンプを使用することが可能となる。
【００３１】
止水壁２１は、吸込水槽２の端部をなし、流入水路１の出口における水の流線方向と交差する面をなす。図１および図２に例示するように、止水壁２１は、流入水路１の出口における水の流線方向と直交する平面をなしてもよい。図１および図２に例示するように、止水壁２１が吸込水槽２の外壁を構成していてもよい。図１に例示するように、止水壁２１は、第１側壁２０ａおよび第２側壁２０ｂに接続されていてもよい。
【００３２】
止水壁２１の上端は、計画高水位ＨＷＬ（High Water Level）より高い位置にあってもよい。図２に例示するように、止水壁２１と吸込水槽２の床面との間に隙間および開口等は存在しなくてもよい。図２に例示するように、止水壁２１の下端が、吸込水槽２の床面に接続されていてもよい。
【００３３】
ポンプ吸込水路３の入口と、流入水路１の出口とは、止水壁２１に対して同じ側に設けられている。図１に示す例に沿ってより具体的に説明すれば、ポンプ吸込水路３の入口と、流入水路１の出口とは、止水壁２１に対していずれも図面上右側に設けられている。かかる構成とすることで、流入水路１の出口から排出された水は、止水壁２１で反射され、ポンプ吸込水路３の入口に流れ込む。
【００３４】
図１および図２に示す例では、流入水路１の出口における水の流出方向と、ポンプ吸込水路３の入口における水の流入方向とが、略平行逆向きである。
【００３５】
図２に例示するように、流入水路１の底面の高さは、吸込水槽２の底面の高さと一致していてもよい。ポンプ吸込水路３の底面の高さは、吸込水槽２の底面の高さと一致していてもよい。吸込水槽２の水抜きを容易にすべく、吸込水槽２の底面は傾斜していてもよい。ポンプ吸込水路３の天井面は、吸込水槽２側から所定距離までは高さが一定であり、その後、下流側に向かって下方に傾斜し、その後、また高さが一定となっていてもよい。
【００３６】
このような排水機場１００は、例えば、次のように機能する。
流入水路１には、流速２〜５ｍ／ｓ程度の水が、河川や地下放水路などから流入する。この水は吸込水槽２に流れ込む。流入水路１は（少なくとも吸込水槽２より）狭いため、流れ込む水の流速が速いこともあり得る。
【００３７】
次いで、図２に示すように、吸込水槽２において止水壁２１の流入水路１側の面に水がぶつかる。これにより、水流は乱れるが、流速を下げることができる。すなわち、止水壁２１は水を減勢する。止水壁２１にぶつかることで水流は上向きとなり、止水壁２１に沿って上昇して渦を巻くが、止水壁２１から離れるに従い、乱れた水流は整えられる。
【００３８】
水は、隔壁３１ａ〜３１ｄによってさらに整流され、第１水路６１〜第４水路６４のいずれかに偏流することなく分流し、ポンプ吸込水路３に流れ込む。各水路におけるポンプ３２ａ〜３２ｄは、水路内の水を揚水して吐出水槽（不図示）および吐出水路４を経て吐出河川（不図示）に排出する。この場合、流入水路１における水の流れる方向と、吐出水路４における水の流れる方向とは、一致する。
【００３９】
このように、第１実施形態では、吸込水槽２の端部をなし、流入水路１の出口における水の流線方向と交差する方向に延びるように止水壁２１を設ける。流入水路１からの水が、止水壁２１に当たり、水が減勢されるとともに、止水壁２１から離れるにつれて整流される。よって、水を偏流なく各ポンプ３２ａ〜３２ｄに導くことができ、各ポンプ３２ａ〜３２の能力を最大限に発揮できる。水路６１〜６４へと、各ポンプ３２ａ〜３２の吐出量に応じた量の水が導かれうる。また、止水壁２１で水を減勢できるため、吸込水槽２の長さを短くすることができ、排水機場１００の小型化が可能である。
【００４０】
［変形例］
図３は、第１実施形態の変形例に係る排水機場１００ａを上方から見た図である。変形例にかかる排水機場１００ａは、整流壁２２を備えている点で、第１実施形態の排水機場１００と異なる。
【００４１】
整流壁２２は、水の流れる向きを変更する。整流壁２２は、吸込水槽２の内部において流入水路１の出口と対向しない位置に設けられている。「対向しない」とは、流入水路１の中心を通る軸線（流入水路１の流れ方向の直線）と整流壁２２とが交差しないことをいう。
【００４２】
図３に示す例では、整流壁２２が２個、設けられている。整流壁２２は、それぞれ、止水壁２１で反射した水の偏流を整流させ、水路６１〜６４へと偏流なく導くように構成されうる。具体的には、整流壁２２は、水路６１〜６４の中心を通る軸線の方向に対し、所定の角度をなすように配置されている。整流壁２２は、隔壁３１ａおよび３１ｄの吸込水槽２側の端部に向けて延びる方向に配置されている。
かかる構成では、整流壁２２により更に偏流が抑制される。よって、各ポンプ３２ａ〜３２の能力をさらに効果的に発揮できる。
【００４３】
（第２実施形態）
図４は、第２実施形態に係る排水機場２００を上方から見た図である。以下、第１実施形態との相違点を中心に説明する。図４と図１とで共通する構成要素については、同一の符号および名称を付して、説明を省略する。
排水機場２００は、支柱２３を更に備えている。支柱２３は、流入水路１の出口と対向するように、吸込水槽２内に設けられている。
【００４４】
図４に例示するように、支柱２３は、流入水路１の長手方向の中心線上の任意の位置に設けられてもよい。支柱２３は、止水壁２１から所定距離だけ水平方向に離隔して配置されてもよい。支柱２３は、吸込水槽２の床面から鉛直上向きに延びる構成とすることができる。支柱２３の水平断面は、流入水路１の出口に向かって鋭角をなしてもよい。
かかる構成では、吸込水槽に流入する水流の損失を低減させることができる。
【００４５】
本実施形態でも、第１実施形態の変形例と同様に、整流壁２２を設けてもよい。かかる構成では、整流壁２２により更に偏流が抑制される。よって、各ポンプ３２ａ〜３２の能力をさらに効果的に発揮できる。
【００４６】
（第３実施形態）
図５は、第３実施形態に係る排水機場３００を上方から見た図である。図５と図１とで共通する構成要素については、同一の符号および名称を付して、説明を省略する。
【００４７】
排水機場３００は、止水壁２１ａが、流入水路１の出口と対向して流入水路１に向かって突出する凸部２４と、凸部２４の両側に形成された凹部２５とを備え、凸部２４と凹部２５とが、曲面で接続されている。
【００４８】
図５に例示するように、凸部２４は、流入水路１の長手方向の中心線上の任意の位置に設けられてもよい。凸部２４の水平断面は、流線形状（ポンプ吸込水路３に向かい整流されるように湾曲した形状）としてもよい。止水壁２１ａの水平断面は、鉛直方向の高さによらず同一であってもよい。凸部２４の水平断面は、流入水路１の出口に向かって鋭角をなしてもよい。
かかる構成では、吸込水槽に流入する水流の損失を低減させることができる。
【００４９】
本実施形態でも、第１実施形態の変形例と同様に、整流壁２２を設けてもよい。かかる構成では、整流壁２２により更に偏流が抑制される。よって、各ポンプ３２ａ〜３２の能力をさらに効果的に発揮できる。
【００５０】
（第４実施形態）
図６は、第４実施形態に係る排水機場４００を上方から見た図である。図６と図１とで共通する構成要素については、同一の符号および名称を付して、説明を省略する。
排水機場４００は、吸込水槽２に接続された残水排水槽６と、残水排水槽６内に設けられた残水排水ポンプ３５ａ、３５ｂと、を更に備えている。
【００５１】
吸込水槽２の側壁には連通口３４が形成されており、この連通口３４を通って吸込水槽２から残水排水槽６に水が流れることができる。残水排水ポンプ３５ａ、３５ｂは、吸込水槽２内の水を揚水して、例えば下水処理施設に排水する。連通口３４が設けられる位置は任意でよいが、止水壁２１よりもポンプ吸込水路３の入口に近くなるように設けられてもよい。
【００５２】
ポンプ３２ａ〜３２ｄは、ポンプ吸込水路３内の水を排水するが、吸込水槽２内の水をすべて排水できるとは限らず、ポンプ吸込水路３の底より低い水位で吸込水槽２内に水が残ることもある。そこで、本実施形態では、吸込水槽２内の残水を残水排水槽６に引き込み、残水排水ポンプ３５ａ、３５ｂで排水する。これにより、吸込水槽２内を常時はドライにすることができ、水質の悪化や悪臭を抑えることができる。
【００５３】
図７は、図６の残水排水槽６のＢ−Ｂ断面図である。残水排水槽６は、バケット３６を備えている。残水排水槽６の底面（床面）は、吸込水槽２の底面２６（床面）よりも低くなっている。吸込水槽２の底面は、残水排水槽６に向かって低くなるように傾斜していてもよい。かかる構成では、常時、吸込水槽２内に残留した水を効率的に残水排水槽６に集めることができる。
バケット（塵芥吊り上げ機）３６は、残水排水槽６の上方に設けられた開口を通って下降し、残水排水槽６に集まった塵芥を吊り上げて外部に排出する。
排水機場４００は、さらに流入ゲート２１２ａ〜２１２ｄを備えるとともに、流入ゲート２１２ａ〜２１２ｄを昇降させる昇降機構（図示せず）も備えている。
【００５４】
図６に示すように、第１隔壁３１ａと第２隔壁３１ｂと第３隔壁３１ｃと第４隔壁３１ｄとは、吸込水槽２側の端部に、鉛直方向に延びる溝状の切り欠きが形成されている。また、第１側壁２０ａおよび第２側壁２０ｂにも、隔壁の切り欠きと対応する位置に、同様の切り欠きが形成されている。
【００５５】
これらの切り欠きに流入ゲート２１２ａ〜２１２ｄの両端が嵌まっており、水路６１〜６４の開口を開閉する。より具体的には、流入ゲート２１２ａは、第１水路６１の最も上流側、言い換えると、吸込水槽２の第１側壁２０ａと第１隔壁３１ａとの間の開口と対向して設けられ、水流とほぼ直交する方向に延びている。同様に、流入ゲート２１２ｂは第１隔壁３１ａ、第２隔壁３１ｂ間の開口、流入ゲート２１２ｃは第３隔壁３１ｃ，第４隔壁３１ｄ間の開口、流入ゲート２１２ｄは第４隔壁３１ｄと第２側壁２０ｂとの間の開口にそれぞれ対向して設けられる。図６では図示していないが、流入水路１の出口にゲートを設けてもよい。
【００５６】
なお、本実施形態では１つの水路に対して１つの流入ゲートを設ける例を示しているが、複数の水路に対して１つの流入ゲートを設けてもよい。昇降機構は、流入ゲート２１２ａ〜２１２ｄを個別に昇降させる。
【００５７】
ところで、ポンプ３２ａ〜３２ｄは、通常は停止しており、大雨など流入水路１からの水量が多いときに運転する。よって、長期間ポンプ３２ａ〜３２ｄが運転しないこともあり得る。そのため、ポンプ３２ａ〜３２ｄが正常に動作することを定期的に確認しておく必要があり、そのための運転を管理運転という。本実施形態では、昇降機構が、流入ゲート２１２ａ〜２１２ｄの下端が吸込水槽２の底に達するまでこれらを下降させることで、簡易に管理運転を行うことができる。以下、管理運転を行うための構成を説明する。
【００５８】
図６に示すように、排水機場４００は、吐出水槽（不図示）からの水が流れ込むバイパス水路５ａ、５ｂと、管理運転用バイパスゲート２１３ａ、２１３ｂとを備えている。吐出水槽は、ポンプ３２ａ〜３２ｄにより吐出された水を河川等に排出する前に一時的に水を貯留する場所である。吐出水槽は、具体的には例えば、流入水路１の上方を覆うように幅広に形成されうる。かかる構成において、例えば吐出水槽の両側部の底に開口を形成して水を流下させることで、該開口からバイパス水路５ａ、５ｂへと水を供給できる。
【００５９】
吸込水槽２またはポンプ吸込水路３の側壁には、バイパス水路５が接続される開口３３ａ、３３ｄが設けられる。開口３３ａ、３３ｄが設けられる位置は、第１隔壁３１ａ、第４隔壁３１ｄの吸込水槽２側部分と対向する位置であるのが望ましいが、ポンプ３２ｄより上流側であればよい。そして、この開口３３ａ、３３ｂを開閉できるよう管理運転用バイパスゲート２１３ａ、２１３ｂが設けられる。すなわち、管理運転用バイパスゲート２１３ａは、バイパス水路５ａとポンプ３２ａとの間に設けられる。管理運転用バイパスゲート２１３ｂは、バイパス水路５ｂとポンプ３２ｄとの間に設けられる。さらに、第２隔壁３１ｂ、第３隔壁３１ｃにも、開口３３ａ、３３ｄと対向する位置に、開口３３ｂ、３３ｃが設けられている。管理運転用バイパスゲート２１３ａ、２１３ｂは通常は閉じているが、これが開くと、バイパス水路５ａ、５ｂからの水が第１水路６１、第２水路６２、第３水路６３、第４水路６４を通ってそれぞれ第１ポンプ３２ａ、第２ポンプ３２ｂ、第３ポンプ３２ｃ、第４ポンプ３２ｄに流れる。なお、バイパス水路５ａ、５ｂのいずれか一方が省略されてもよい。
【００６０】
管理運転を行う際、管理運転用バイパスゲート２１３ａ、２１３ｂを開くとともに、昇降機構によって流入ゲート２１２ａ〜２１２ｄの下端が吸込水槽２の底に接するまでこれらを下降させる。これにより、吐出水槽からの水がポンプ３２ａ〜３２ｄに流れ込み、ポンプ３２ａ〜３２ｄを運転させることができる。
【００６１】
このように、第４実施形態では、流入ゲート２１２ａ〜２１２ｄを設ける。また、流入ゲート２１２ａ〜２１２ｄを吸込水槽２の底まで下降させられるようにすることで、簡易に管理運転を行うことができる。
【００６２】
上述した第１から第４の実施形態において、排水機場の形は図示したような矩形でなくてもよいことはもちろんである。また、例えば流入水路をポンプ吸込水路の下方に配置する場合等において、流入水路は排水機場に対して流入角度があってもよく、本発明は排水機場に対して流入角を持った流入水にも適用できる。排水機場に設置するポンプの台数は複数であり、実施形態で示す４台より多くてもよい。
【００６３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００６４】
１  流入水路
２  吸込水槽
２０ａ〜ｂ  側壁
２１  止水壁
２１２ａ〜２１２ｄ  流入ゲート
２１３ａ、２１３ｂ  管理運転用バイパスゲート
２２  整流壁
２３  支柱
２４  凸部
２５  凹部
２６  底面
３  ポンプ吸込水路
３１ａ〜３１ｄ  隔壁
３２ａ〜３２ｄ  ポンプ
３３ａ〜３３ｄ  開口
３４  連通口
３５ａ、３５ｂ  残水排水ポンプ
３６  バケット
４  吐出水路
５ａ、５ｂ  バイパス水路
６  残水排水槽
６１〜６４  水路
１００〜４００  排水機場
【図１】
0006620047.tif 000002
【図２】
0006620047.tif 000003
【図３】
0006620047.tif 000004
【図４】
0006620047.tif 000005
【図５】
0006620047.tif 000006
【図６】
0006620047.tif 000007
【図７】
0006620047.tif 000008
【図８】
0006620047.tif 000009